(57)【特許請求の範囲】
【請求項１】
電気炉等の電極を継ぎ足す電極接続装置に縦向きの状態で新電極を渡すべく一対の縦フレームの一方に横向きに新電極を保持し、これを傾転させて縦向きに保持する傾転機構を備えた接続用電極セット装置であって、上記傾転機構を、上記新電極を受ける横フレームと、この横フレームの一端下部に設けられ一方の縦フレームに軸受部材で傾転自在に設けられる板状部材とで形成し、かつ、その板状部材に上記横フレームを傾転する油圧シリンダを連結すると共に、その油圧シリンダの端部を他方の縦フレームに連結し、上記横フレームの一端上部に新電極のネジ部を受ける下部受け部材を設け、他方の縦フレームに横向きに移送された新電極を上記下部受け部材に押圧する押圧手段を設け、上記横フレームの他端下部に横フレームを傾転方向と逆方向に傾転させるためのバランスウェイトを設けたことを特徴とする接続用電極セット装置。
【発明の詳細な説明】
【０００１】
【発明の属する技術分野】
本発明は、電気炉等の電極を継ぎ足す電極接続装置に縦向きの状態で新電極を渡すための接続用電極セット装置に関するものである。
【０００２】
【従来の技術】
従来の接続用電極セット装置としては、図３及び図４に示すものがある（特願平７−２０４３７１号参照）。
【０００３】
この接続用電極セット装置は、新電極を保持するフレーム１１に一体に形成されたブラケットをピン８で基台側に回転自在に支持し、基台側に設けられた油圧シリンダ７のピストンロッド７ａを上記ブラケット９にピン１０で連結してある。上記油圧シリンダ７を伸縮させることにより上記フレーム１１を傾転させるようになっている。上記フレーム１１には、回転ラム４を回転させることにより他端に設けられたクランプ板３により新電極をクランプするクランプアーム２が設けられている。さらに、上記フレーム１１には油圧シリンダ６が取り付けられており、この油圧シリンダ６のピストンロッド６ａは、フレーム１１に対して移動可能に取り付けられた下部受け部材５に連結され、当該下部受け部材５内には新電極の下端部に形成されたネジ部１ａが収納されるようになっている。そして、上記油圧シリンダ６を縮小させることで下部受け部材５を移動させてフレーム１１に載置された新電極の下端部に当接させて位置決めを行うようになっている。
【０００４】
【発明が解決しようとする課題】
しかしながら、従来の接続用電極セット装置では、油圧シリンダ６により下部受け部材５を新電極の端部に当接させて位置決めしシリンダ７を縮小させて新電極を傾転させるようにしているので、フレーム１１上の新電極の載置される位置によって上記下部受け部材５の当接位置が異なり、新電極を傾転させた際の上下方向の位置（新電極の上端の高さ）が異なることになる。当該接続用電極セット装置により縦向きにされた新電極を自動で電気炉に搬送する自動搬送装置を用いた場合においては新電極の位置が上下方向にばらついていると受け渡し（取り合い）に不都合が生ずる場合がある。従来の接続用セット装置では自動搬送装置は事実上使用できなかった。
【０００５】
本発明は、上記事情に鑑みてなされたもので、新電極の上下方向の位置のばらつきを無くして搬送装置との受け渡し（取り合い）を確実かつ円滑に行うことができる接続用電極セット装置を提供することを目的とする。
【０００６】
【課題を解決するための手段】
本発明の接続用電極セット装置は、電気炉等の電極を継ぎ足す電極接続装置に縦向きの状態で新電極を渡すべく一対の縦フレームの一方に横向きに新電極を保持し、これを傾転させて縦向きに保持する傾転機構を備えた接続用電極セット装置であって、上記傾転機構を、上記新電極を受ける横フレームと、この横フレームの一端下部に設けられ一方の縦フレームに軸受部材で傾転自在に設けられる板状部材とで形成し、かつ、その板状部材に上記横フレームを傾転する油圧シリンダを連結すると共に、その油圧シリンダの端部を他方の縦フレームに連結し、上記横フレームの一端上部に新電極のネジ部を受ける下部受け部材を設け、他方の縦フレームに横向きに移送された新電極を上記下部受け部材に押圧する押圧手段を設け、上記横フレームの他端下部に横フレームを傾転方向と逆方向に傾転させるためのバランスウェイトを設けたことを特徴とするものである。
【０００７】
【発明の実施の形態】
以下、本発明の実施の一形態にかかる接続用電極セット装置について添付図面に基づいて説明する。図３、図４と同一要素には同一符号を付して説明する。
【０００８】
本接続用電極セット装置は、電気炉等の電極を継ぎ足す電極接続装置に縦向きの状態で新電極を渡すためのものである。
【０００９】
本接続用電極セット装置は、搬入された新電極を横向きに載置させる載置台（図示せず）と、横向きの新電極を傾転させて縦向きに保持する傾転機構２０と、載置台上の新電極を１本づつ上記傾転機構に移送する移送機構（図示せず）と、上記傾転機構２０に設けられ傾動させる新電極の上下位置を位置決めする押圧手段２１ａと下部受け部材２１ｂとからなる位置決め手段とを備えて概略構成される。
【００１０】
上記傾転機構２０は床面に立設された第１の縦フレーム２３と第２の縦フレーム２４を備えており、第１及び第２の縦フレーム２３，２４間には、本発明の傾転機構の主要部を構成する油圧シリンダ２５が取り付けられている。第１の縦フレーム２３の上端部付近には横フレーム２６とブレース２７とが固定されている。上記横フレーム２６の下方には油圧シリンダ２８が固定されている。横フレーム２６の先端部付近には軸受部材２９を中心として揺動可能に揺動アーム３０が取り付けられている。揺動アーム３０の下端には上記油圧シリンダ２８のピストンロッド２８ａが連結される一方、揺動アーム３０の上端には押圧部材３１が連結されている。油圧シリンダ２８、揺動アーム３０、押圧部材３１は、本発明の押圧手段を構成する。なお、上記第１の縦フレーム２３の上端側面には、新電極１の側面に当接する円弧板状の側板３４が上端に取り付けられた縦部材３３が固定されている。
【００１１】
上記第２の縦フレーム２４の中間部には横フレーム３５が固定されており、この横フレーム３５の先端部にはストッパ部材３６が固定されている。上記横フレーム３５の側方の上記第２の縦フレーム２４にはブラケット３７が固定されており、このブラケット３７には軸受部材３８が取り付けられている。この軸受部材３８には板状部材４０の一端が揺動自在に取り付けられている。板状部材４０の上端には横フレーム４１が固定されている。この横フレーム４１の他端側には縦フレーム及びバランスウエイト４２が固定されている。この縦フレームの側面は横フレーム４１がほぼ水平な状態となった時に上記ストッパ部材３６に当接するようになっている。上記横フレーム４１の上端には新電極１の側面に当接する側板４４が固定されている。さらに、上記横フレーム４１の上端には上記下部受け部材２１ｂが固定されている。下部受け部材２１ｂは、新電極のネジ部１ａが収納される凹部４５ａが形成された筒状部材４５と、この筒状部材４５の底部側に配置され筒状部材４５を保持する保持部材４６とを備えて構成される。上記板状部材４０の下端部には上記油圧シリンダ２５のピストンロッド２５ａがピン２５ｂにより連結されている。
【００１２】
次に、上記実施の一形態にかかる接続用電極セット装置の作用について説明する。
【００１３】
継ぎ足すべき新電極を横向きに載置台上に載置し、新電極を移送機構により傾転機構２０に移送する。新電極１の側面を側板３４，４４に当接して停止させる。油圧シリンダ２８に油圧を供給してそのピストンロッド２８ａを伸長させ。揺動アーム３０を揺動させて押圧部材３１を新電極１の端部方向に移動させ、端部に当接させ新電極を押圧して下部受け部材２１ｂ側に移動させる。新電極１のネジ部１ａが筒状部材４５の中に収納され、新電極１のネジ部１ａの段部が筒状部材４５の端面に当接して停止する（図１に示す状態）。この後クランプ板３により新電極１をクランプして固定する。
【００１４】
次に、油圧シリンダ２５のピストンロッド２５ａを退入させると、板状部材４０が軸受部材３８を中心として反時計回りに回転し板状部材４０に固定された横フレーム４１が約９０゜回転する。横フレーム４１上には新電極１が載置・固定されているので横フレーム４１の回転に伴なって新電極が横向きの状態から縦向きの状態に傾転させられる（図２に示す状態）。この状態で、新電極１を電気炉に搬送して既設の電極に継ぎ足す電極接続装置を搬送する自動搬送装置（図示せず）を運転し、接続用電極セット装置に縦向きに保持されている新電極の外周に上記電極接続装置を挿入し新電極１を把持する。
【００１５】
本実施の形態の接続用電極セット装置では、横フレーム４１の上端に固定された下部受け部材２１ｂの筒状部材４５内に新電極１のネジ部１ａが収納されるように、押圧手段２１ａの油圧シリンダ２８を駆動して新電極１を押圧移動するようにしているので、横フレーム４１に保持される新電極１は横フレーム４１に固定された下部受け部材２１ｂにより位置決めされ、傾転させて縦向きとした場合にすべての場合で上下方向でおなじ高さに保持されることになる。このように上下方向に同じ高さに保持されるので、自動搬送装置を予め所定の高さに自動運転して新電極を把持する場合に、受け渡し（取り合い）関係が常に一定となり、受け渡し（取り合い）を確実かつ円滑に行うことができる。したがって、自動搬送装置を使用することが可能となり、作業人員の削減を図ることができるとともに安全性や操業性を向上させることができる。
【００１６】
【発明の効果】
以上説明したように、本発明の接続用電極セット装置では、新電極の上下方向の位置のばらつきを無くして搬送装置との受け渡し（取り合い）を確実かつ円滑に行うことができる。
【図面の簡単な説明】
【図１】本発明の実施の一形態の接続用電極セット装置を示す図である。
【図２】図１の接続用電極セット装置の作動状態を示す図である。
【図３】従来の接続用電極セット装置を示す図である。
【図４】図３の接続用電極セット装置の作動状態を示す図である。
【符号の説明】
１  新電極
２０  傾転機構
２１ａ  押圧手段
２１ｂ  下部受け部材
２３  縦フレーム（他方の縦フレーム）
２４  縦フレーム（一方の縦フレーム）
２５  油圧シリンダ
３８  軸受部材
４０  板状部材
４１  横フレーム
４２  バランスウェイト
【図１】
0004004130.tif 000002
【図２】
0004004130.tif 000003
【図３】
0004004130.tif 000004
【図４】
0004004130.tif 000005